(57)【特許請求の範囲】
【請求項１】
調理機器の上方に設置され、調理時に発生する油煙を屋外へ排出するための送風手段を備えたレンジフードであって、
このレンジフードの筐体は金属板で構成され、
前記レンジフードは、
前記筐体を前面側に突出させたスイッチ操作部と、
前記筐体の裏面に前記スイッチ操作部の裏側と対向したスイッチ受付部と、
このスイッチ受付部が検出した信号をもとに前記送風手段の運転を決定する制御部を有し、
前記スイッチ受付部は、前記スイッチ操作部の突出部分を押し込んだときに入力を検出するレンジフード。
【請求項２】
スイッチ受付部は複数のインダクションセンサを並べた構成とし、インダクションの変化量、変化した時間、インダクションの変化方向によってスイッチ入力を判定することを特徴とする請求項１記載のレンジフード。
【請求項３】
レンジフード筺体とスイッチ受付部との間に絶縁構造を設けたことを特徴とする請求項１または２記載のレンジフード。
【請求項４】
スイッチ操作部は筐体全体に対して厚みを薄くし、スイッチの押圧部分を変位しやすい構造としたことを特徴とする請求項１〜３いずれかひとつに記載のレンジフード。
【請求項５】
スイッチ操作部の押圧部分を囲う支持機構をレンジフード内側に形成したことを特徴とする請求項１〜４いずれかひとつに記載のレンジフード。
【請求項６】
前記スイッチ受付部は、スイッチ操作部の突出部の変位によって発生する筐体表面のたわみを検出することを特徴とする請求項１〜５いずれかひとつに記載のレンジフード。
【請求項７】
前記スイッチ受付部は、スイッチ操作部の突出部の変位によって発生する筐体表面の反りを検出することを特徴とする請求項１〜５いずれかひとつに記載のレンジフード。
【請求項８】
突出部の変位方向よってスイッチ入力を判定することを特徴とする請求項６または７記載のレンジフード。
【請求項９】
突出部の繰り返し操作によって送風手段の動作モードを変更することを特徴とする請求項８記載のレンジフード。
【請求項１０】
筐体の材質には形状記憶合金を用い、押圧が加わり変位しても元の形状に復元することを特徴とする請求項１〜９いずれかひとつに記載のレンジフード。
【請求項１１】
スイッチ操作部にエンボスによる運転表示を設けたことを特徴とする請求項１〜１０いずれかひとつに記載のレンジフード。
【発明の詳細な説明】
【技術分野】
【０００１】
本発明は、油などにより汚れやすい環境に設置されるレンジフードに関する。
【背景技術】
【０００２】
台所や厨房などに設置され、調理時に発生する油煙を排出するレンジフードのスイッチ操作部は、比較的高い場所に設置されたレンジフードの外郭全面に設けられ、その操作面が斜め下方に傾いており、調理機器の前方に立った使用者が操作しやすい構造のものが普及している。
【０００３】
この種の従来のレンジフードにおけるスイッチ操作部の構造としては、金属の製品外郭に開口部を設け、その背面からスイッチ操作部をはめ込み、運転モードを設定する複数のスイッチ操作ボタンもしくはメンブレンシートを貼り付けたスイッチ操作部の意匠枠ごとを突出させる構造のものが知られていた（例えば特許文献１参照）。
【０００４】
以下、そのレンジフードを図１４を参照しながら説明する。
【０００５】
図１４、図１５に示すように、調理機器１０１による調理時に発生する油煙を排出するために、内部に送風機１０２を設けたレンジフード本体１０３の内部にはスイッチ操作部１０９が配置され、送風機１０２および照明１０５の動作を設定する複数の押しボタンスイッチ１１０をならべて構成しかつメンブレンシート１１１が貼り付けられたスイッチ操作面１０４は、レンジフード本体１０３の前面に設けた開口部１０３ａから突出した構成となっていた。また電装部周辺の機構は集約され、調理機器１０１を照射する照明１０５はスイッチ操作部１０９の上方に設けられ、電装部への油の侵入を防止するための金属製のボトムカバー１０６が設けられ、レンジフード本体１０３の下部に形成された捕集空間１０７から吸い込まれた油煙は、フィルター１０８を通過して送風機１０２によってダクトを介して屋外に排出される。
【先行技術文献】
【特許文献】
【０００６】
【特許文献１】特開平９−８９３３５号公報
【発明の概要】
【発明が解決しようとする課題】
【０００７】
このような従来のレンジフードでは、スイッチ操作部１０９のスイッチ操作面１０４を開口部１０３ａに貫通させて取り付けていたので、調理時に油煙を排出することを主目的とするレンジフードでは、油煙によってメンブレンシート１１１や開口部１０３ａに油が付着したうえにほこりが固着し、掃除しても簡単に落とせない汚れとなる。また送風機１０２の作用により、開口部１０３ａとスイッチ操作面１０４との隙間または、押しボタンスイッチ１１０とメンブレンシートの隙間を通して空気が流れ、スイッチ可動部に油煙やほこりが侵入すると接点不良を起こし操作不能になる恐れもあった。
【０００８】
本発明は、このような従来の課題を解決するものであり、運転モードを設定するためのスイッチ操作部を取り付ける開口部をなくすことで、掃除性の向上が図れ、かつスイッチ可動部の油煙の侵入を防ぎ、操作性の低下を招かないレンジフードを提供することを目的とする。
【課題を解決するための手段】
【０００９】
本発明のレンジフードは上記目的を達成するために、調理機器の上方に設置され、調理時に発生する油煙を屋外へ排出するための送風手段を備えたレンジフードであって、
このレンジフードの筐体は金属板で構成され、前記レンジフードは、前記筐体を前面側に突出させたスイッチ操作部と、前記筐体の裏面に前記スイッチ操作部の裏側と対向したスイッチ受付部と、このスイッチ受付部が検出した信号をもとに前記送風手段の運転を決定する制御部を有し、前記スイッチ受付部は、前記スイッチ操作部の突出部分を押し込んだときに入力を検出するものである。
【００１０】
この手段によりフードには開口部をなくし、一枚の金属で形成することが可能となる。そのため隙間や凹凸がなくなり、油や埃が付着しても簡単な拭き取りで掃除ができるレンジフードが得られる。
【００１１】
また、本発明のレンジフードは上記目的を達成するために、スイッチ受付部は複数のインダクションセンサを並べた構成とし、インダクションの変化量、変化した時間、インダクションの変化方向によってスイッチ入力を判定することを特徴とするレンジフードとしたものである。
【００１２】
この手段により筺体が変化して復元するまでの間に発生するインダクション変化量、その変化時間、変化方向によって人によるスイッチ操作を判定することが可能となる。またインダクションの変化方向から筺体のたわみ、伸び、反発、反りを検出し、誤検知を防ぐことが可能なレンジフードが得られる。
【００１３】
また、本発明のレンジフードは上記目的を達成するために、レンジフード筺体とスイッチ受付部との間に絶縁構造を設けたことを特徴とするレンジフードとしたものである。
【００１４】
この手段により、キッチン周辺のインバーター機器等から発生する輻射ノイズや人体静電気からスイッチ受付部を保護し、また経年変化による筺体の反りやたわみといった機械的ストレスから保護を行うことができ、誤動作や操作不能状態を回避可能なレンジフードが得られる。
【００１５】
また、本発明のレンジフードは上記目的を達成するために、スイッチ操作部は筐体全体に対して厚みを薄くし、スイッチ押圧部分を変位しやすい構造としたことを特徴とするレ
ンジフードとしたものである。
【００１６】
この手段により、押圧に対して変位しやすいスイッチ操作部を設けることで、インダクション変化量を大きくしスイッチ感度や応答性を高めることが可能となり、かつ使用者にとって操作感のあるレンジフードが得られる。
【００１７】
また、本発明のレンジフードは上記目的を達成するために、スイッチ操作部の押圧部分を囲う支持機構をレンジフード内側に形成したことを特徴とするレンジフードとしたものである。
【００１８】
この手段により、筺体裏側からスイッチ操作部の押圧部分を支持することで過大な力が操作部に加わったとしてもスイッチ操作部を凹まないよう保護することが可能なレンジフードが得られる。
【００１９】
また、前記スイッチ受付部は、スイッチ操作部の突出部の変位によって発生する筐体表面のたわみを検出することを特徴とするレンジフードとしたものである。
【００２０】
この手段により、使用者にとってスイッチ部分が分かりやすく、また突出部を傾けた際に発生する筐体のたわみをスイッチ入力として判定できるレンジフードが得られる。
【００２１】
また、前記スイッチ受付部は、スイッチ操作部の変位によって発生する筐体表面の反りを検出することを特徴とするレンジフードとしたものである。
【００２２】
この手段により、突出部を傾けた際に発生する筐体の反りをスイッチ入力として判定するレンジフードが得られる。
【００２３】
また、本発明のレンジフードは上記目的を達成するために、突出部の繰り返し操作によって送風手段の動作モードを変更することを特徴とするレンジフードとしたものである。
【００２４】
この手段により、同じ方向の繰り返し操作を行うことで重複する運転パターンを強めたり弱めたりすることが可能なレンジフードが得られる。
【００２５】
また、本発明のレンジフードは上記目的を達成するために、筐体の材質には形状記憶合金を用い、押圧が加わり変位しても元の形状に復元することを特徴とするレンジフードとしたものである。
【００２６】
この手段により、落下等で大きな外力がスイッチ操作部に加わっても元の形状に復元しスイッチ操作が可能なレンジフードが得られる。
【００２７】
また、本発明のレンジフードは上記目的を達成するために、スイッチ操作部にエンボスによる運転表示を設けたことを特徴とするレンジフードとしたものである。
【００２８】
この手段により、スイッチ操作部に設けられた押圧部の目的が明確となり、また点字ディスプレイとすることで視覚障害者のご操作を防止することが可能なレンジフードが得られる。
【発明の効果】
【００２９】
本発明によれば、調理機器の上方に設置され、調理時に発生する油煙を屋外へ排出するための送風手段を備えたレンジフードであって、
このレンジフードの筐体は金属板で構成され、前記レンジフードは、前記筐体を前面側に
突出させたスイッチ操作部と、前記筐体の裏面に前記スイッチ操作部の裏側と対向したスイッチ受付部と、このスイッチ受付部が検出した信号をもとに前記送風手段の運転を決定する制御部を有し、前記スイッチ受付部は、前記スイッチ操作部の突出部分を押し込んだときに入力を検出するものであるので、使用者が触れることによって筐体が微小に変位する現象を利用してスイッチ入力を判定することから、フードには、操作スイッチを取り付ける開口部およびスイッチ操作面上には、ボタンと意匠枠との間の隙間をなくすことが可能となる。そして、隙間や凹凸がなくなり、油や埃が付着しても簡単に拭き取ることが可能な掃除性の優れたレンジフードが得られる。
【図面の簡単な説明】
【００３０】
【図１】本発明の実施の形態１のレンジフードの構成図
【図２】本発明の実施の形態１のスイッチ操作部の構成図（（Ａ）正面図、（Ｂ）側面図）
【図３】本発明の実施の形態１のスイッチ膨出部の構成図（（Ａ）スイッチ膨出部の側面図、（Ｂ）スイッチ突出部の側面図）
【図４】本発明の実施の形態１のスイッチ膨出部の断面図
【図５】本発明の実施の形態１のスイッチ操作部の斜視図
【図６】本発明の実施の形態１のコイル基板の正面図
【図７】本発明の実施の形態１の制御部の回路図
【図８】本発明の実施の形態１のスイッチ押圧部の誘起電圧波形を示す図
【図９】本発明の実施の形態１のスイッチ突出部の動作を示す図（（Ａ）タイミング３４のスイッチ突出部の側面図、（Ｂ）タイミング３５のスイッチ突出部の側面図、（Ｃ）タイミング３６のスイッチ突出部の側面図）
【図１０】本発明の実施の形態１のスイッチ突出部の誘起電圧波形を示す図（（Ａ）コイル２１の誘起電圧波形を示す図、（Ｂ）コイル２０の誘起電圧波形を示す図）
【図１１】本発明の実施の形態２のスイッチ操作部の構成図（（Ａ）正面図、（Ｂ）側面図）
【図１２】本発明の実施の形態２のスイッチ凹部の構成図
【図１３】本発明の実施の形態２のスイッチ凹部の断面図
【図１４】従来のレンジフードの構成図
【図１５】従来のレンジフードのスイッチ操作部を示す図
【発明を実施するための形態】
【００３１】
本発明の請求項１記載の発明は、調理機器の上方に設置され、調理時に発生する油煙を屋外へ排出するための送風手段を備えたレンジフードであって、
このレンジフードの筐体は金属板で構成され、前記レンジフードは、前記筐体を前面側に突出させたスイッチ操作部と、前記筐体の裏面に前記スイッチ操作部の裏側と対向したスイッチ受付部と、このスイッチ受付部が検出した信号をもとに前記送風手段の運転を決定する制御部を有し、前記スイッチ受付部は、前記スイッチ操作部の突出部分を押し込んだときに入力を検出するものであり、使用者がスイッチ操作部に触れることによって筐体が微小に変位することをスイッチ受付部で検出し、スイッチ入力を判定することができるという作用を有する。
【００３２】
また、スイッチ受付部は複数のインダクションセンサを並べた構成とし、インダクションの変化量、変化した時間、インダクションの変化方向によってスイッチ入力を判定することを特徴とする請求項１記載のレンジフードとしたものであり、使用者がスイッチ操作部に触れることによって微小に変位した筐体をインダクションの変化で検出し、インダクションの変化量、変化した時間、インダクションの変化方向によって筐体の変位が使用者の操作によるものと判断するという作用を有する。
【００３３】
また、レンジフード筺体とスイッチ受付部との間に絶縁構造を設けたものであり、絶縁構造により、キッチン周辺のインバーター機器等から発生する輻射ノイズや人体による静電気からスイッチ受付部を保護し、また経年変化による筺体の反りやたわみといった機械的ストレスからスイッチ受付部を保護できる作用を有する。
【００３４】
また、スイッチ操作部は筐体全体に対して厚みを薄くし、スイッチの押圧部分を変位しやすい構造としたものであり、押圧に対して変位しやすいスイッチ操作部によってインダクション変化量を大きくしスイッチ感度や応答性を高める作用を有する。
【００３５】
また、スイッチ操作部の押圧部分を囲う支持機構をレンジフード内側に形成したものであり、筺体裏側からスイッチ押圧部外周を支持することでスイッチの押圧部のみ変位させる作用を有する。
【００３６】
また、前記スイッチ受付部は、スイッチ操作部の突出部の変位によって発生する筐体表面のたわみを検出することを特徴としたものであり、突出部を傾けた際に発生する筐体のたわみをインダクション変化によって検知し、スイッチ入力として判定するという作用を有する。
【００３７】
また、前記スイッチ受付部は、スイッチ操作部の突出部の変位によって発生する筐体表面の反りを検出することを特徴としたものであり、突出部を傾けた際に発生する筐体の反りをインダクション変化によって検知し、スイッチ入力として判定するという作用を有する。
【００３８】
また、突出部の変位方向よってスイッチ入力を判定することを特徴とするものであり、突出部を傾けた際に発生する筐体のたわみや反りをインダクション変化とその変化方向によって検知し、変化方向に応じてスイッチ入力確定内容を判別するという作用を有する。
【００３９】
また、突出部の繰り返し操作によって送風手段の動作モードを変更することを特徴とするものであり、突出部を傾けた際に発生する筐体のたわみや反りをインダクション変化とその変化方向によって検知し、同じ方向の繰り返し操作があった場合は運転パターンを強めたり弱めたりする作用を有する。
【００４０】
また、筐体の材質には形状記憶合金を用い、押圧が加わり変位しても元の形状に復元することを特徴とするものであり、落下等で大きな外力がスイッチ操作部に加わっても元の形状に復元する作用を有する。
【００４１】
また、スイッチ操作部にエンボスによる運転表示を設けたことを特徴とするものであり、スイッチ操作部に設けられた押圧部の機能が明確になるという作用を有する。
【００４２】
以下、本発明の実施の形態について図面を参照しながら説明する。
【００４３】
（実施の形態１）
図１に示すように、ガスコンロ、ＩＨコンロなどの調理機器１の上方に設置されるレンジフードは、調理時に発生する油煙等を排出する送風手段である送風機２と、この送風機２と油煙を屋外へ導く配管ダクトからなる送風機ユニット３と、調理時に発生した油煙を捕集する金属製のフード部４と、調理機器１を照射するＬＥＤ照明５と、フード部４の前面に送風機２およびＬＥＤ照明５の動作モードを設定するスイッチ操作部６とを設け構成されている。
【００４４】
図２にスイッチ操作部６の構成を示す。スイッチ操作部６のスイッチの押圧部分は、フ
ード部４をプレス加工して形成したもので、その形状により、スイッチ膨出部７〜９とスイッチ突出部１０としたものであり、フード部４を貫通する孔または開口部は一切ない。本実施の形態１では使用する金属は電気亜鉛めっき鋼板（ＳＥＣＣ）とし、厚みは０．５ｍｍを使用するものとする。
【００４５】
図３（ａ）はスイッチ膨出部７〜９の側面図を、図３（ｂ）はスイッチ突出部１０の側面図を示す。スイッチ膨出部７〜９はプレス成型により押し出された構造であり、フード部４の表面より高さ５ｍｍまで押し出されている。また、天頂部１１は直径３０ｍｍの円状で前面側へ膨出させた形状となっており、また、プレス加工により厚み０．３〜０．４ｍｍ程度に押しつぶされ、これが復元可能な構成として押圧に対して変位しやすい構成となっている。
【００４６】
またスイッチ突出部１０は縦１０ｍｍ×横４０ｍｍの長方形状でプレス成型され、使用者の指が掛かる２０ｍｍの高さで突出している。
【００４７】
図４はスイッチ膨出部７〜９の断面図を、図５にはスイッチ操作部６の斜視図を示す。筐体１２の裏面には筐体１２と、コイル基板１３を絶縁するラバーシート１４がはめ込まれており、このラバーシート１４に形成した基板受部１５でコイル基板１３を受ける構造となっている。また、筐体１２はコイル基板１３を固定する樹脂成型部品１６によって背面より支持されており、また樹脂成型部品１６はスイッチ操作部６の背面にあるネジ孔が設けられたスイッチ取り付け枠５０に嵌め込まれた後にネジによって固定される構造となっている。本構成によってスイッチ膨出部７〜９に押圧が加わった際は天頂部１１以外の金属筐体が押し込まれることを防止している。
【００４８】
図６にはスイッチ受付部となるコイル基板１３の構造を示す。コイル基板１３にはエナメル処理されたコイル１７〜２１が渦巻状に巻かれた状態でエポキシ樹脂によって固着され基板上に並べられている。各コイルは各スイッチ膨出部に対応する配置で並んでおり、コイル１７はスイッチ膨出部７に、コイル１８はスイッチ膨出部８に、コイル１９はスイッチ膨出部９に、コイル２０とコイル２１は上下に並べられてスイッチ突出部１０と向かい合う配置となっている。またそれぞれのコイルは制御部２２に接続される。ここで、スイッチ膨出部７は送風機２の「切」操作スイッチ、スイッチ膨出部８は送風機２の「弱」運転操作スイッチ、スイッチ膨出部９は送風機２の「強」運転操作スイッチ、スイッチ突出部１０はＬＥＤ照明５の「点灯／消灯」操作スイッチの役割を行うものとし、以下そのスイッチ膨出部から操作入力を判定する動作原理についてスイッチ膨出部７を例にとって図７と図８を参照しながら説明する。    
【００４９】
制御部２２ではマイコン２７のＯＵＴＰＵＴ―ＳＩＧＮＡＬポート（以降、ＯＳポート）２３にてコイル１７に２０ｋＨｚの周波数で発振電圧を印加し、コイル１７から磁界を発生させている。ここで、第１インダクタンス２５はコイル１７のインダクタンスとコイル１７および筐体１２の相互インダクタンスの総和を表しており、また、第２インダクタンス２６はコイル１７が発生する磁界によって誘導される筐体１２のインダクタンスを示している。そして、それらインダクタンスの発生レベルを誘起電圧によってＡＮＡＬＯＧ―ＤＩＧＩＴＡＬ変換ポート（以降、ＡＤポート）２４にて検出している。
【００５０】
次に、使用者がスイッチ膨出部７の天頂部１１に押圧を加えると（図８のタイミング３０）、押圧によって天頂部１１は内側に反りこみ、コイル１７が発生している磁束に接近する。するとコイル１７と筐体１２間との相互インダクタンスが変化し、第１インダクタンス２５の磁束が変化する。このときのＡＤポート２４で検出される誘起電圧は大きくなる（図８のタイミング３１）ことから制御部２２ではスイッチ膨出部７が押されたと判断する。
【００５１】
また、使用者が天頂部１１への押圧を開放すると（図８のタイミング３２）、天頂部１１は弾性力によって外側へ反り返り元の形状に戻る。するとコイル１７と筐体１２との相互インダクタンスが変化しＬ２１の磁束が変化する。このときのＡＤポート２４で検出される誘起電圧は小さくなる（図８のタイミング３３）ことから制御部２２ではスイッチ膨出部７が開放されたと判断する。
【００５２】
上記に示すように、使用者が天頂部１１を操作すると誘起電圧が変化を起こすことで制御部２２はスイッチ膨出部が操作されたと判断でき、また、誘起電圧の変化方向によって膨出部の変位方向を検出することができる。
【００５３】
以上の動作原理により、使用者がスイッチ膨出部８を押すと、送風機２は弱ノッチの排気風量で運転を開始する。また次にスイッチ膨出部９を押すと、送風機２は強ノッチの排気風量で運転を開始する。また使用者がスイッチ膨出部７を押すと、送風機２の運転は停止する。
【００５４】
次にスイッチ突出部１０におけるスイッチ検出原理について、図９、図１０を参照しながら説明する。図１０には、コイル２１とコイル２０に誘起される電圧を示している。
【００５５】
図９（Ａ）に示すように、スイッチ突出部１０（図１０（Ａ）のタイミング３４）を矢印２６ａの方向から力を加えると、すなわちスイッチ突出部１０を上から下方向へ力を加えると、スイッチ突出部１０の下側２７は内側へたわむことでコイル２１の磁束を変化させ、逆に上側２８は外側へ反ることになりコイル２０はコイル２１と逆方向の磁束を発生させる（図１０（Ａ）（Ｂ）のタイミング３５）。また、続けて矢印２９の方向からスイッチ突出部１０に力を加えると、すなわちスイッチ突出部１０を下から上方向へ力を加えると、コイル２１の磁束が変化し、コイル２０の磁束はコイル２１と逆方向に発生する（図１０（Ａ）（Ｂ）タイミング３６）。さらに、続けてスイッチ突出部１０へ加えた力を解放すると、金属の反発と引っ張りによってスイッチ突出部１０は元の状態に復元される（図１０（Ａ）（Ｂ）のタイミング３７）。
【００５６】
上記の動作によりスイッチ突出部１０の変位方向をコイル基板１３を介して制御部２２で読み取ることが可能となり、スイッチ突出部１０が上方向へ変位すればＬＥＤ照明５を点灯させ、また下方向へ変位すれば照明を消灯するよう制御部２２はＬＥＤ照明５を制御する。
【００５７】
ここでスイッチ突出部１０を連続して上方向に変位させると、ＬＥＤ照明５の照度を段階的にＵＰさせることが可能な構成とする。
【００５８】
以上の構成により本実施の形態１のレンジフードは、使用者のスイッチ操作をスイッチ膨出部７〜９の天頂部１１の変位で検出することが可能となり、スイッチ操作面上にはボタンや一切の開口部をなくし、油や埃が付着しても簡単に拭き取ることが可能な掃除性の優れたレンジフードを得ることが可能となる。
【００５９】
またスイッチ膨出部の天頂部の変位をコイルのインダクタンスで検知し、かつ制御部２２で変位の大きさ、変化時間、変化方向を読み取ることで、使用者のスイッチ操作を判定することが可能となる。
【００６０】
またスイッチ膨出部７〜９において、天頂部１１の厚みをプレス加工で薄くすることで、天頂部のみ変位しやすいスイッチ膨出部７〜９を実現することが可能となる。
【００６１】
またスイッチ膨出部７〜９において、筐体１２とコイルとの間にラバーシート１４を挿入することで、コイルと筐体の離隔距離を確保しかつ、ノイズや静電気といった外乱に対してコイルを保護することが可能となる。
【００６２】
またスイッチ膨出部７〜９において、樹脂成型部品１６によって筐体１２を背面から支持することで、膨出部以外の変位を防止することが可能となる。
【００６３】
また天頂部１１を外側に膨出させて外側への応力を形成することで、変位に対して元の状態に復元する天頂部１１を形成することが可能となる。
【００６４】
またスイッチ突出部１０を側面方向（実施の形態では側面に沿って上側または下側）に変位させた際に発生するたわみと反りをコイル２０、２１で検出することでスイッチ突出部の変位方向を検出することが可能となり、また変位方向によってスイッチ入力を判定するレバースイッチを実現することが可能となる。
【００６５】
またスイッチ突出部１０において、同じ方向に繰り返し操作を行うと、重複する運転パターンを強めたり弱めたりすることが可能なレバースイッチを実現できる。
【００６６】
また本実施の形態１の発明では、使用する金属は電気亜鉛めっき鋼板（ＳＥＣＣ）としたが、形状記憶合金（ニッケルとチタンの合金５：５）を使用した場合は、レンジフードを落下させてスイッチ操作部が変形しても、時間と共に元の形状に復帰しスイッチ操作が可能となるレンジフードを得ることもできる。
【００６７】
（実施の形態２）
図１１、図１２に本実施の形態２のスイッチ操作部６を示す。スイッチ操作部６の押圧部であるスイッチ凹部３５〜３８は、フード部４をプレス加工して形成したものである。したがって、フード部４を貫通する孔または開口部は一切ない。本実施の形態２は、実施の形態１と同様に使用する金属は電気亜鉛めっき鋼板（ＳＥＣＣ）とし、厚みは０．５ｍｍを使用するものとする。図１２に示すように、スイッチ凹部３５〜３８は深さ５ｍｍ、たて３０ｍｍ、横３０ｍｍでフード部４前面に対して反対側に凹んだ形状となっており、スイッチの上部にはそれぞれのスイッチの役割を示す点字「きり」３９、点字「かんき」４０、点字「かんき」４１、点字「しょうめい」４２がエンボス加工で施されている。
【００６８】
図１３には実施の形態２のスイッチ凹部の断面図を示す。筐体１２と樹脂回路ケース４５の間にはラバーシート４４が密着した状態で挿入されており、使用者が天頂部４６に押圧を加えた際には緩衝材として働き、また押圧が開放された場合は樹脂回路ケース４５との間の反発力により天頂部４６を押し戻す。
【００６９】
樹脂回路ケース４５の内部には、実施の形態１と同様の配置でコイル基板１３の上にエナメル処理されたコイル１７が渦巻状に巻かれた状態でエポキシ樹脂によって固着されて並べられている。コイル１７は天頂部４６の微小な変位を検出して、使用者のスイッチ操作を検出するものであり、そのスイッチ検出原理は実施の形態１の図７および図８と同様のため詳細な説明は省略する。
【００７０】
本実施の形態２によれば、スイッチをフード部４表面に対し内側に凹ませ、復元する力をフード裏面から与える構成として天頂部４６にラバーシート４４と樹脂回路ケース４５の反発力を与えることにより、使用者にとってスイッチ押下部が分かりやすく、かつ天頂部４６を凹みから復帰させることが可能なレンジフードが得られる。
【００７１】
またスイッチの上部にエンボス加工による点字文字を施すことで、スイッチの役割が明
確となり、また視覚障害者の誤操作を防止することが可能なレンジフードが得られる。
【産業上の利用可能性】
【００７２】
以上のように本発明のレンジフードは、隙間や開口部を有する機械的接点を用いず金属筐体を利用してスイッチ操作を可能としかつ清掃が容易であることから、油の付着や侵入などが懸念される工場設備や屋外設置機器に有用である。
【符号の説明】
【００７３】
１      調理機器
２      送風機
３      送風機ユニット
４      フード部
５      ＬＥＤ照明
６      スイッチ操作部
７      スイッチ膨出部
８      スイッチ膨出部
９      スイッチ膨出部
１０    スイッチ突出部
１１    天頂部
１２    筐体
１３    コイル基板
１４    ラバーシート
１５    基板受部
１６    樹脂成型部品
１７    コイル
１８    コイル
１９    コイル
２０    コイル
２１    コイル
２２    制御部
２３    ＯＳポート
２４    ＡＤポート
２５    第１インダクタンス
２６    第２インダクタンス
４４    ラバーシート
４６    天頂部
１０１  調理機器
１０２  送風機
１０３  レンジフード本体
【図１】
0005504775.tif 000002
【図２】
0005504775.tif 000003
【図３】
0005504775.tif 000004
【図４】
0005504775.tif 000005
【図５】
0005504775.tif 000006
【図６】
0005504775.tif 000007
【図７】
0005504775.tif 000008
【図８】
0005504775.tif 000009
【図９】
0005504775.tif 000010
【図１０】
0005504775.tif 000011
【図１１】
0005504775.tif 000012
【図１２】
0005504775.tif 000013
【図１３】
0005504775.tif 000014
【図１４】
0005504775.tif 000015
【図１５】
0005504775.tif 000016